(57)【特許請求の範囲】
【請求項１】
ヒンジ部を介して開閉自在に合掌せしめられる自由端を備えた一対の分割ケース(4)(5)によりディスク収納室を形成したディスクケース(1)と、前記分割ケースを開放不能に施錠する施錠手段(7)とから成る構成において、
ディスクケース(1)は、分割ケース(4)(5)を合掌せしめた状態で、分割ケースの自由端の間に開口された挿入口(12)からディスク収納室に向けて延びる挿入路(13)と、挿入口を挟んで分割ケースの自由端に設けられた開閉ロック用被係止部(14)(15)と、挿入路に臨んで少なくとも一方の分割ケース(5)に設けられたガイド群(16)と、該ガイド群を内側から被うと共に前記開閉ロック用係止部(14)(15)を連結するリブ壁(18)から成る抜止めロック用被係止部(17)とを備えており、
施錠手段(7)は、前記挿入口から挿入路に挿入される施錠プレート(25)から成り、該施錠プレートは、挿入路に挿入された状態で、挿入口を挟んで配置された一対の開閉ロック用被係止部(14)(15)に係止されることにより分割ケースを開放不能に固定する開閉ロック用係止部(26)(26)と、前記ガイド群(16)に嵌合される補助係止群(28)と、抜止めロック用被係止部(17)に係止されることにより施錠プレートを挿入路から引き抜き不能に固定する抜止めロック用係止手段(27)を備えており、
前記ガイド群(16)は、一対の断面Ｔ形のガイド片(19)(19)と、該ガイド片の間に設けられた複数の縦リブ(20)とから構成され、これに対して、前記補助係止群(28)は、前記ガイド片(19)を挿入可能とするスリット付き門形状の係止片(29)(29)と、前記縦リブ(20)を嵌合可能とするスリット(30)とから構成されており、
前記抜止めロック用係止手段(27)は、施錠プレートの挿入により、挿入口から抜止めロック用被係止部(17)に到達するまでは、分割ケースに設けられたガイド片(19)(19)に沿わしめられることにより弾性変形を介して後退し、補助係止群(28)をガイド群(16)に嵌合せしめることにより抜止めロック用被係止部(17)に到達したときは、弾性復元力により前進することにより、抜止めロック用被係止部(17)に係止する翼端(32c)(32c)を備えた板バネ(32)を構成しており、該板バネ(32)は、一方の分割ケース(4)の外側面に磁石(36)を臨ませると、弾性変形することにより抜止めロック用被係止部(17)から後退するような磁性を備えて成ることを特徴とするディスクケースにおける施錠装置。
【請求項２】
一対の分割ケース(4)(5)は、相互に入れ子式に嵌合せしめられる側壁(4b)(5b)を備えると共にそれぞれの側壁から内側に突出する係止片(22)(23)を設けており、
分割ケースを合掌せしめた状態で、一方の分割ケース(4)における係止片(22)と、他方の分割ケース(5)における係止片(23)が、挿入路に対して相互に該挿入路(13)を越える反対側に位置せしめられ、
施錠プレート(25)を挿入路(13)に挿入したとき、各係止片(22)(23)が施錠プレートの側縁に係止されることにより分割ケース(4)(5)を開放不能に固定するように構成されて成ることを特徴とする請求項１に記載のディスクケースにおける施錠装置。
【請求項３】
請求項１又は２に記載の施錠装置を解錠する装置であり、
合掌せしめられた分割ケースの自由端を受入れ自在とする溝部３３と、一方の分割ケースの外側面から施錠手段の板バネ３２を弾性変形せしめる部位に対して臨ましめられた永久磁石３６とを備えた解錠体８から成り、
解錠体８の溝部２３にディスクケースの自由端を挿入したとき、抜止めロック用係止手段２７が抜止めロック用被係止部１７から外れ、施錠プレート２５を挿入路１３から引き抜く方向に解錠体８を移動したとき、施錠プレート２５が解錠体８に追従して移動することにより、開閉ロック用係止部２６が開閉ロック用被係止部１４、１５から外れると共に、施錠プレート２５が挿入口１２から引き抜かれるように構成されていることを特徴とするディスクケースにおける施錠装置の解錠装置。
【発明の詳細な説明】
【０００１】
【発明の属する技術分野】
本発明は、ＣＤやＤＶＤ等のディスクを収納するためのディスクケースに関するものであり、特に、このようなディスクを商品として展示する販売店やレンタルショップにおいて、来店客が不正にケースを開けることにより内部のディスクを窃盗することを防止するため、施錠装置及び解錠装置を設けたディスクケースを提供するものである。
【０００２】
【従来の技術】
従来、ディスクケースにおける施錠装置及び解錠装置は、種々の構造のものが提案されており、本出願人においても多くの発明を提案している。
【０００３】
【発明が解決しようとする課題】
例えば、従来、正面側を大きく開口せしめたオープン形式のディスクケースに対して、該開口部の一部を閉鎖する着脱自在な施錠片を設けた構成のものが公知である。然しながら、不正者は、ドライバー工具等の治具を使用することにより、施錠片やケースの壁部を破損させ、内部のディスクを抜き取るため、このようなオープン形式のディスクケースでは対策が十分でない。
【０００４】
この点に関して、従来、ヒンジ部を介して開閉自在に合掌せしめられる一対の分割ケースによりディスク収納室を形成したクローズ形式のディスクケースが公知であり、分割ケースの合掌せしめられた自由端に沿って施錠片を挿着せしめる構成のものが公知である。この場合、クローズ形式のケースであるため、オープン形式のケースよりは安全性が高いものとなるが、前述のように不正者は、治具の使用により分割ケースの隙間をこじ開けるため、万全ではない。また、施錠片は、施錠作業が容易であるだけでなく、解錠作業も容易とすることが店舗における効率上必要となるが、この点の配慮が十分でない。
【０００５】
【課題を解決するための手段】
本発明は、上記課題を解決したディスクケースにおける施錠装置及び解錠装置を提供するものである。
【０００６】
そこで、本発明のディスクケースにおける施錠装置が手段として構成したところは、ヒンジ部を介して開閉自在に合掌せしめられる自由端を備えた一対の分割ケースによりディスク収納室を形成したディスクケースと、前記分割ケースを開放不能に施錠する施錠手段とから成る構成において、ディスクケースは、分割ケースを合掌せしめた状態で、分割ケースの自由端の間に開口された挿入口からディスク収納室に向けて延びる挿入路と、挿入口を挟んで分割ケースの自由端に設けられた開閉ロック用被係止部と、挿入路に臨んで少なくとも一方の分割ケースに設けられたガイド群と、該ガイド群を内側から被うと共に前記開閉ロック用係止部を連結するリブ壁から成る抜止めロック用被係止部とを備えており、施錠手段は、前記挿入口から挿入路に挿入される施錠プレートから成り、該施錠プレートは、挿入路に挿入された状態で、挿入口を挟んで配置された一対の開閉ロック用被係止部に係止されることにより分割ケースを開放不能に固定する開閉ロック用係止部と、前記ガイド群に嵌合される補助係止群と、抜止めロック用被係止部に係止されることにより施錠プレートを挿入路から引き抜き不能に固定する抜止めロック用係止手段を備えており、前記ガイド群は、一対の断面Ｔ形のガイド片と、該ガイド片の間に設けられた複数の縦リブとから構成され、これに対して、前記補助係止群は、前記ガイド片を挿入可能とするスリット付き門形状の係止片と、前記縦リブを嵌合可能とするスリットとから構成されており、前記抜止めロック用係止手段は、施錠プレートの挿入により、挿入口から抜止めロック用被係止部に到達するまでは、分割ケースに設けられたガイド片に沿わしめられることにより弾性変形を介して後退し、補助係止群をガイド群に嵌合せしめることにより抜止めロック用被係止部に到達したときは、弾性復元力により前進することにより、抜止めロック用被係止部に係止する翼端を備えた板バネを構成しており、該板バネは、一方の分割ケースの外側面に磁石を臨ませると、弾性変形することにより抜止めロック用被係止部から後退するような磁性を備えて成る点にある。
【０００７】
一対の分割ケースは、相互に入れ子式に嵌合せしめられる側壁を備えると共に、それぞれの側壁から内側に突出する係止片を設けており、分割ケースを合掌せしめた状態で、一方の分割ケースにおける係止片と、他方の分割ケースにおける係止片が、挿入路に対して相互に該挿入路を越える反対側に位置せしめられ、施錠プレートを挿入路に挿入したとき、各係止片が施錠プレートの側縁に係止されることにより分割ケースを開放不能に固定するように構成されている。
【０００８】
また、本発明のディスクケースにおける解錠装置が手段として構成したところは、前述のような施錠装置を解錠する装置であり、合掌せしめられた分割ケースの自由端を受入れ自在とする溝部と、一方の分割ケースの外側面から施錠手段の板バネを弾性変形せしめる部位に対して臨ましめられた永久磁石とを備えた解錠体から成り、解錠体の溝部にディスクケースの自由端を挿入したとき、抜止めロック用係止手段が抜止めロック用被係止部から外れ、施錠プレートを挿入路から引き抜く方向に解錠体を移動したとき、施錠プレートが解錠体に追従して移動することにより、開閉ロック用係止部が開閉ロック用被係止部から外れると共に、施錠プレートが挿入口から引き抜かれるように構成されている点にある。
【０００９】
【発明の実施の形態】
以下図面に基づいて本発明の好ましい実施形態を詳述する。
【００１０】
図１に示すように、ディスクケース１は、ヒンジ部２を介して開閉自在に合掌せしめられる自由端３、３を備えた第一分割ケース４と第二分割ケース５の一対によりディスク収納室６を形成しており、該ディスクケース１は、分割ケース４、５を開放不能に施錠する施錠手段７と、施錠手段７による施錠を解錠するための解錠体８と組み合わせることにより使用される。
【００１１】
ディスクケース１は、収納されるディスクＤの中心孔を嵌脱自在に嵌挿せしめるボス部９と、該ボス部９の周囲にディスク収納室６を区成する同心円状の円弧状リブ１０、１１を第一分割ケース４に形成しており、第二分割ケース５によりディスク収納室６を含んで第一分割ケース４を施蓋するように構成されている。この際、第一分割ケース４は、平板壁４ａの両側縁に側壁４ｂ、４ｂを立設した皿状に形成されており、第二分割ケース５は、同様に、平板壁５ａの両側縁に側壁５ｂ、５ｂを形成した皿状に形成されており、一対の分割ケース４、５を合掌せしめたとき、相互に側壁４ｂ、５ｂが入れ子式に嵌合せしめられる構成とされている。尚、図示省略しているが、ヒンジ部２を有する側縁にも相互に入れ子式に嵌合されるリブ状の側壁が形成されており、これによりディスケース１の三方において分割ケース４、５の間にドライバー工具等の治具を挿入できるような隙間を一切形成しない。
【００１２】
ディスクケース１の残りの一辺には、挿入口１２が形成される。即ち、分割ケース４、５を合掌せしめた状態で、分割ケース４、５の自由端３、３の間には挿入口１２が開口され、平板壁４ａ、５ａの間には挿入口１２からディスク収納室６に向けて延びる挿入路１３が形成される。図例の場合、挿入口１２及び挿入路１３は、ディスクケース１のほぼ全幅にわたり形成され、該挿入口１２を挟んで分割ケース４、５の平板壁４ａ、５ａの内側には、開閉ロック用被係止部１４、１５が設けられている。図例の場合、第一分割ケース４は、挿入口１２の左端に位置して開口する１個のポケット１４ａと右端に位置して開口する２個のポケット１４ｂ、１４ｂにより開閉ロック用被係止部１４を構成し、第二分割ケース５は、挿入口１２の左端に位置して開口する１個のポケット１５ａと右端に位置して開口する２個のポケット１５ｂ、１５ｂにより開閉ロック用被係止部１５を構成している。
【００１３】
第二分割ケース５は、左端のポケット１５ａと右端のポケット１５ｂの間に位置して、挿入口１２に臨むガイド群１６を設けると共に、該ガイド群１６に続いて挿入路１３に臨む抜止めロック用被係止部１７を設けており、図例の場合、左端のポケット１５ａと右端のポケット１５ｂを連結するリブ壁１８により抜止めロック用被係止部１７を構成している。前記ガイド群１６は、少なくとも左端のポケット１５ａと右端のポケット１５ｂに隣接する一対の断面Ｔ形のガイド片１９、１９と、複数の縦リブ２０とから構成されている。尚、第二分割ケース５の右端のポケット１５ｂとこれに隣接するガイド片１９との間には、位置決め凹部２１が平板壁５ａの外側面から凹入形成されている。
【００１４】
一対の分割ケース４、５に設けられた側壁４ｂ、５ｂは、それぞれ内側に突出する係止片２２、２３を設けており、分割ケース４、５を合掌せしめた状態で、第一分割ケース４の側壁４ｂに設けた係止片２２と、第二分割ケース４の側壁５ｂに設けた係止片２３が、挿入路１３に対して相互に該挿入路１３を越える反対側に位置せしめられるように構成されている。即ち、図１に示すように、第一分割ケース４の側壁４ｂ、４ｂにはそれぞれ一対の係止片２２、２２が間隔を開けて設けられており、該係止片２２とポケット１４ａ、１４ｂの間に挿入路１３を形成せしめる。同様に、第二分割ケース５の側壁５ｂ、５ｂにはそれぞれ係止片２３が設けられており、該係止片２３とポケット１５ａ、１５ｂの間に挿入路１３を形成せしめる。そして、分割ケース４、５を合掌せしめたとき、係止片２３を受入れ可能とする切欠部２４が第一分割ケース４の側壁４ｂ、４ｂに形成されている。
【００１５】
施錠手段７は、ディスクケース１の挿入口１２から挿入路１３に挿入される施錠プレート２５を構成しており、必要に応じて、盗難防止タグの貼着部２６を形成している。貼着部２６に貼付けた盗難防止タグは、店舗の出入口に設置された感知装置に感応するものであり、従って、ディスクケース１を店外に持ち出そうとする者があると、これを感知装置により検出し警報を発する。
【００１６】
施錠プレート２５は、挿入路１３に挿入された状態で、挿入口１２を挟んで配置された分割ケース４、５におけるそれぞれの開閉ロック用被係止部１４、１５に係止される開閉ロック用係止部２６と、抜止めロック用被係止部１７に係止される抜止めロック用係止手段２７を設けている。
【００１７】
図２に拡大図を示すように、開閉ロック用係止部２６は、挿入口１２を挟んで配置されるポケット１４ａと１５ａ並びに１４ｂと１５ｂにそれぞれ挿入されることにより、カスガイ状に連結する挿入片２６ａ、２６ａと２６ｂ、２６ｂと２６ｃ、２６ｃとから構成されている。そして、挿入片２６ａと２６ｂの間に位置して、施錠プレート２５には、第二分割ケース５のガイド群１６に対応する補助係止群２８が設けられている。この補助係止群２８には、施錠プレート２５を挿入路１３に挿入したとき、断面Ｔ形のガイド片１９を挿入せしめることにより第二分割ケース５の開放を阻止するスリット付き門形状の係止片２９と、縦リブ２０を嵌合せしめるスリット３０とが含まれている。
【００１８】
抜止めロック用係止手段２７は、補助係止群２８に隣接して施錠プレート２５に凹入形成されたハウジング部３１に装着された板バネ３２により構成され、該板バネ３２の中央部３２ａをハウジング部３１の底壁に固着すると共に、中央部３２ａから両側に延びる翼片３２ｂ、３２ｂを弾性変形可能ならしめ、該翼片３２ｂ、３２ｂの先端に位置する翼端３２ｃ、３２ｃを抜止めロック用被係止部１７に係止せしめるように構成されている。即ち、施錠プレート２５をディスクケース１の挿入口１２に挿入すると、抜止めロック用係止手段２７を構成する板バネ３２は、抜止めロック用被係止部１７に到達するまでは、翼端３２ｃ、３２ｃを断面Ｔ形のガイド片１９に沿わしめられ、翼片３２ｂ、３２ｂの弾性変形を介して後退し、施錠プレート２５の挿入が進行することにより抜止めロック用被係止部１７に到達すると同時に、翼片３２ｂ、３２ｂの弾性復元力により翼端３２ｃ、３２ｃを前進せしめ、抜止めロック用被係止部１７に係止することにより、施錠プレート２５を挿入路１３から引き抜き不能に固定する。
【００１９】
板バネ３２は、第一分割ケース４の平板辺４ａの外側面からハウジング部３１に向けて永久磁石等の磁石を臨ませると、翼片３２ｂ、３２ｂの弾性変形により翼端３２ｃ、３２ｃを抜止めロック用被係止部１７から後退せしめるような磁性を備えている。例えば、板バネ３２のそれ自体が磁着可能な金属板から形成されており、或いは、可撓性のある合成樹脂により形成された板バネ３２に磁着可能な金属片を備えている。
【００２０】
解錠体８は、図１に示すように、溝部３３を挟んで下壁３４と上壁３５を備えた溝形部材から成り、施錠されたディスクケース１における施錠手段７の部分を溝部３３に挿入したとき、施錠手段７に内蔵された板バネ３３の翼片３２ｂ、３２ｂに向けて臨む永久磁石３６、３６を下壁３４に埋設している。
【００２１】
図示実施例において、解錠体８の上壁３５は、長手方向の中途部に位置し、溝底部に向けて幅を減じるようテーパ部３７、３７を形成しており、左右のテーパ部３７、３７の間においてディスクケース１の位置決め凹部２１に嵌合自在な突起３８を上壁３５から溝部３３に向けて形成している。従って、解錠体８をディスクケース１に臨ませるに際して、左右のテーパ部３７、３７の間の空間を介して位置決め凹部２１の位置を視認しながら、解錠体８の突起３８を位置決め凹部２１に嵌合せしめると、その状態で永久磁石３６、３６が板バネ３３の翼片３２ｂ、３２ｂに向けて正しく臨み、抜止めロック用係止手段２７が抜止めロック用被係止部１７から外れる。そこで、施錠プレート２５を挿入路１３から引き抜く方向に向けて解錠体８を移動すれば、板バネ３３が永久磁石３６に磁着された状態で、施錠プレート２５は、解錠体８に追従して移動せしめられ、開閉ロック用係止部２６を開閉ロック用被係止部１４、１５から抜き出すと共に、施錠プレート２５を挿入口１２から引き抜き、これにより一対の分割ケース４、５を開放自在とする。
【００２２】
上記の構成によれば、ディスク収納室６にディスクＤを入れた後、一対の分割ケース４、５を閉じた状態で、挿入口１２から施錠プレート２５を挿入すれば、施錠手段７によるディスクケース１の施錠が行われる。
【００２３】
即ち、図３（Ａ）に示すように、挿入口１２から挿入路１３に向けて施錠プレート２５を挿入すると、相互に挿入路１３を越えて配置された第一分割ケース４の係止片２２と第二分割ケース５の係止片２３に対して、施錠プレート２５が係止片２２と係止片２３の間に挿入され、これにより両分割ケース４、５の側壁４ｂ、５ｂを離反不能に係止する。そして、図３（Ｂ）に示すように、施錠プレート２５が挿入路１３に完全に挿入されると、開閉ロック用係止部２６が開閉ロック用被係止部１４、１５に挿入され、この部分においても両分割ケース４、５の平板壁４ａ、５ａを離反不能に係止する。尚、図示省略しているが、ヒンジ部２の近傍においても、分割ケース４、５は相互に入れ子状に嵌合された側壁を備えている。従って、不正な者がドライバ工具等の治具を差し込むことによりディスクケース１の一部分をこじ開けようと試みても、治具を差し込むことができるような隙間が一切存在しない。
【００２４】
施錠プレート２５の挿入に伴う抜止めロック用係止手段２７の作用は、図４に示している。図４（Ａ）に示すように、挿入口１２から挿入路１３に向けて施錠プレート２５を挿入すると、ハウジング部３１から突出した板バネ３２の翼端３２ｃがガイド片１９に臨ましめられる。翼端３２ｃは、該ガイド片１９に沿わしめられながら弾性変形を介して後退し、図４（Ｂ）に示すように、ガイド片１９を通過すると同時に、弾性復元を介して前進し、抜止めロック用被係止部１７に係止し、これにより施錠プレート２５を抜き取り不能に固定し、施錠手段７の施錠を完了する。このとき、同図に示すように、施錠プレート２５の係止片２９がガイド片１９に係止し、第二分割ケース５を更に強固に係止する。
【００２５】
施錠手段７を解錠するためには、解錠体８を用いなければならない。上述のように、解錠体８の突起３８を位置決め凹部２１に嵌合せしめることにより、ディスクケース１の施錠部分を解錠体８の溝部３３に挿入すると、永久磁石３６により板バネ３２が後退し、抜止めロック用被係止部１７に対する抜止めロック用係止手段２７の係止が解除される。従って、図４（Ｃ）に示すように、板バネ３２を永久磁石３６に磁着せしめた状態で、解錠体８をディスクケース１から遠ざけつつ施錠プレート２５を引き抜く方向に移動すれば、解錠体８に追従しつつ施錠プレート２５が挿入路１３から抜き取られ、ディスクケース１を開閉可能となるように開放する。
【００２６】
【発明の効果】
販売店やレンタルショップにおいては、治具の使用によりディスクケースをこじ開け、ディスクを抜き取ろうとする不正な者が跡を絶たないところ、本発明によれば、施錠状態が確実であるばかりか、特に、治具を差し込むことができるような隙間が存在せず、しかも、入れ子式に嵌合された二重壁としての側壁を係止した堅牢なディスクケースを提供することができ、防犯性が極めて高いという効果がある。そして、施錠作業が容易なことは勿論のこと、解錠作業も解錠体によりワンタッチで迅速容易に行うことができ、店舗における作業能率も極めて優れるという効果がある。
【図面の簡単な説明】
【図１】本発明の第１実施形態を分解状態にて示す斜視図である。
【図２】本発明の第１実施形態における施錠プレートを示しており、（Ａ）は要部を示す部分斜視図、（Ｂ）は抜止めロック用係止手段の部分を分解して示す拡大斜視図である。
【図３】本発明の第１実施形態における開閉ロック用被係止部と開閉ロック用係止部による作用を示しており、（Ａ）は係止前の状態を示す断面図、（Ｂ）は係止後の状態を示す断面図である。
【図４】本発明の第１実施形態における抜止めロック用被係止部と抜止めロック用被係止手段による作用を示しており、（Ａ）は係止前の状態を示す断面図、（Ｂ）は係止後の状態を示す断面図、（Ｃ）は解除の方法を示す断面図である。
【符号の説明】
１    ディスクケース
２    ヒンジ部
３    自由端
４    第一分割ケース
４ａ  平板壁
４ｂ  側壁
５    第二分割ケース
５ａ  平板壁
５ｂ  側壁
６    ディスク収納室
７    施錠手段
８    解錠体
１２    挿入口
１３    挿入路
１４    開閉ロック用被係止部
１４ａ、１４ｂ  ポケット
１５    開閉ロック用被係止部
１５ａ、１５ｂ  ポケット
１６    ガイド群
１７    抜止めロック用被係止部
１９    ガイド片
２２、２３  係止片
２５    施錠プレート
２６    開閉ロック用係止部
２６ａ、２６ｂ、２６ｃ  挿入片
２７    抜止めロック用係止手段
２８    補助係止群
２９    係止片
３２    板バネ
【図１】
0003630415.tif 000002
【図２】
0003630415.tif 000003
【図３】
0003630415.tif 000004
【図４】
0003630415.tif 000005